(57)【特許請求の範囲】
【請求項１】
ＰＷＭ信号によるノイズの影響を抑制する光ディスク装置であって、
筐体と、
前記筐体に対し挿脱自在に設けられた可動体と、
前記可動体にメカシャーシを介して設けられた光ピックアップの対物レンズを駆動するアクチュエータと、
前記可動体に前記メカシャーシを介して設けられ、かつ前記光ピックアップを駆動するための送りモータと、
前記可動体に前記メカシャーシを介して設けられ、光ディスクを回転させるための駆動力を発生させるディスクモータを搭載するとともに、前記アクチュエータ及び前記送りモータを個別に駆動制御する前記ＰＷＭ信号をそれぞれ出力するアクチュエータ駆動回路及び送りモータ駆動回路が実装されたモータ基板と、
前記筐体に設けられ、前記光ピックアップにより前記光ディスクから読み出されて光電変換された信号が入力されるＲＦアンプ回路と、このＲＦアンプ回路側から入力された信号に基づき、フォーカスエラー信号及びトラッキングエラー信号に対応する制御信号を前記アクチュエータ駆動回路及び前記送りモータ駆動回路側に向けてアナログ出力するシグナルプロセッサとが実装されたメイン基板と、
前記アクチュエータと前記アクチュエータ駆動回路、及び前記送りモータと前記送りモータ駆動回路を、前記可動体側で、それぞれ個別に接続するアクチュエータ用ケーブル及び送りモータ用ケーブルと、
前記筐体側に設けられた前記メイン基板と前記可動体側に設けられた前記モータ基板とを接続する基板接続用ケーブルと、
を具備することを特徴とする光ディスク装置。
【請求項２】
ＰＷＭ信号によるノイズの影響を抑制する光ディスク装置であって、
筐体と、
前記筐体に対し挿脱自在に設けられた可動体と、
前記可動体にメカシャーシを介して設けられた光ピックアップの対物レンズを駆動するアクチュエータと、
前記光ピックアップに設けられ、前記アクチュエータを駆動制御する前記ＰＷＭ信号を出力するアクチュエータ駆動回路が実装された光ピックアップ用の基板と、
前記筐体に設けられ、前記光ピックアップにより光ディスクから読み出されて光電変換された信号が入力されるＲＦアンプ回路と、このＲＦアンプ回路側から入力された信号に基づき、フォーカスエラー信号及びトラッキングエラー信号に対応する制御信号を前記アクチュエータ駆動回路に向けてアナログ出力するシグナルプロセッサとが実装されたメイン基板と、
前記筐体側に設けられた前記メイン基板と前記光ピックアップ用の基板とを接続する基板接続用ケーブルと、
を具備することを特徴とする光ディスク装置。
【発明の詳細な説明】
【０００１】
本発明は、光ディスク装置、特にノート型パソコン対応のＤＶＤ−ＲＯＭドライブ、ＣＤ−ＲＯＭドライブ等の光ディスク装置に関する。
【０００２】
【従来の技術】
従来、ノート型パソコン対応のディスクドライブにおいては、ディスクを駆動及び再生するためのディスク駆動・再生機構が搭載された可動体であるドロワと、このドロワを収納可能な筐体であるキャビネットとからなる構造のものがある。このような構造のディスクドライブでは、デイスクモータ及びディスクモータ駆動用のＩＣ等を搭載したモータ基板はドロワに設けられ、また、ピックアップのアクチュエータ駆動用のＩＣ、フィードモータ駆動用のＩＣ、及びＲＦアンプ回路等を搭載したメイン基板はキャビネットに設けられている。さらに、このモータ基板とメイン基板とは、ドロアがキャビネットから取り出された際の状態にも対応できるよう基板接続用の比較的長さの長いフレキシブルケーブルにて電気的に接続されている。
【０００３】
ところで、光ディスクに記録された情報は、ピックアップの有する各種レンズ及びフォトディテクタ等からなる光検出器を介して微弱な電気信号に変換され、変換されたこの電気信号はモータ基板を通じて微弱なまま前述した長い基板接続用のフレキシブルケーブルを経由してメイン基板に入力され、ここで初めてＲＦアンプ回路にて増幅されるものとなっている。一方、光ピックアップの対物レンズを駆動するアクチュエータのドライブＩＣ、及び光ピックアップを光ディスクの半径方向に移動するためのフィードモータのドライブＩＣは、前述したようにメイン基板上にあり、その駆動信号は、メイン基板から基板接続用のフレキシブルケーブル及びモータ基板を通じて、ピックアップのアクチュエータ又はフィードモータにそれぞれ伝送されるものとなっている。そして、これらアクチュエータ及びフィードモータの駆動制御は、直流的な電圧の変化、つまりアナログ出力にて行われていた。
【０００４】
しかしながら、このアナログ出力によるアクチュエータ及びフィードモータの駆動制御では、駆動に必要な直流電圧を得る際、アクチュエータ及びフィードモータ用のドライブＩＣ内においてトランジスタを能動領域で使用していることから常に通電が行われるため、各ドライブＩＣ内での電力損失が大きく、多くの消費電流を必要としていた。
【０００５】
そこで、アクチュエータ及びフィードモータの駆動制御をＰＷＭ（Pulse Amplitude Modulation）出力にて行うことが考えられる。すなわち、パルス電流を所定の時間間隔で出力し、アクチュエータ及びフィードモータの駆動を行っていない時の電力消費を避けるとともに、駆動を行っている時においてもドライブＩＣ内での電力損失を低減するようにして、アクチュエータ及びフィードモータの駆動制御にかかる消費電流を減少させることが考えられている。
【０００６】
【発明が解決しようとする課題】
しかしながら、従来のこのようなディスクドライブにおいて、アクチュエータ及びフィードモータの駆動制御をＰＷＭ出力にて行おうとした場合、前述したように、それぞれのドライブＩＣがメイン基板に設けられていることから、キャビネットに設けられたメイン基板とドロアに設けられたモータ基板とを接続する基板接続用の長いフレキシブルケーブルをＰＷＭ信号が伝送させられることとなり、このＰＷＭ信号が、同じく該ケーブルを伝送される光ディスクから読み出された微弱な電気信号に飛び込み悪影響を及ぼしてしまうという問題があった。
【０００７】
また、このような事情からアクチュエータ及びフィードモータの駆動制御は、アナログ出力により行われることとなるが、この場合、前述したように各ドライブＩＣ内での電力損失が大きいことから、ドライブＩＣから発熱が起こり、ディスクドライブ内の各回路のおかれている環境を悪化させていた。
【０００８】
本発明は、このような課題を解決するためになされたものであり、光ディスクの再生時等において、光ディスクから読み出した微弱な電気信号に悪影響を与えることなく、しかも装置内の環境を維持しつつ省電力化を図ることが可能なディスク装置を提供しようとするものである。
【０００９】
【課題を解決するための手段】
上記目的を達成するために、本発明の光ディスク装置は、ＰＷＭ信号によるノイズの影響を抑制する光ディスク装置であって、筐体と、前記筐体に対し挿脱自在に設けられた可動体と、前記可動体にメカシャーシを介して設けられた光ピックアップの対物レンズを駆動するアクチュエータと、前記可動体に前記メカシャーシを介して設けられ、かつ前記光ピックアップを駆動するための送りモータと、前記可動体に前記メカシャーシを介して設けられ、光ディスクを回転させるための駆動力を発生させるディスクモータを搭載するとともに、前記アクチュエータ及び前記送りモータを個別に駆動制御する前記ＰＷＭ信号をそれぞれ出力するアクチュエータ駆動回路及び送りモータ駆動回路が実装されたモータ基板と、前記筐体に設けられ、前記光ピックアップにより前記光ディスクから読み出されて光電変換された信号が入力されるＲＦアンプ回路と、このＲＦアンプ回路側から入力された信号に基づき、フォーカスエラー信号及びトラッキングエラー信号に対応する制御信号を前記アクチュエータ駆動回路及び前記送りモータ駆動回路側に向けてアナログ出力するシグナルプロセッサとが実装されたメイン基板と、前記アクチュエータと前記アクチュエータ駆動回路、及び前記送りモータと前記送りモータ駆動回路を、前記可動体側で、それぞれ個別に接続するアクチュエータ用ケーブル及び送りモータ用ケーブルと、前記筐体側に設けられた前記メイン基板と前記可動体側に設けられた前記モータ基板とを接続する基板接続用ケーブルと、を具備することを特徴とする。
【００１３】
さらに、本発明の光ディスク装置は、ＰＷＭ信号によるノイズの影響を抑制する光ディスク装置であって、筐体と、前記筐体に対し挿脱自在に設けられた可動体と、前記可動体にメカシャーシを介して設けられた光ピックアップの対物レンズを駆動するアクチュエータと、前記光ピックアップに設けられ、前記アクチュエータを駆動制御する前記ＰＷＭ信号を出力するアクチュエータ駆動回路が実装された光ピックアップ用の基板と、前記筐体に設けられ、前記光ピックアップにより光ディスクから読み出されて光電変換された信号が入力されるＲＦアンプ回路と、このＲＦアンプ回路側から入力された信号に基づき、フォーカスエラー信号及びトラッキングエラー信号に対応する制御信号を前記アクチュエータ駆動回路に向けてアナログ出力するシグナルプロセッサとが実装されたメイン基板と、前記筐体側に設けられた前記メイン基板と前記光ピックアップ用の基板とを接続する基板接続用ケーブルと、を具備することを特徴とする。
【００１４】
本発明の光ディスク装置は、アクチュエータ及びピックアップ送りモータの駆動制御用のＰＷＭ信号を生成する駆動回路を、メイン基板を有する筐体に対し挿脱自在な可動体が有するディスクモータが搭載されたモータ基板に実装したので、メイン基板とモータ基板とを電気的に接続する比較的長さの長いものとなる基板接続用ケーブルに例えばアナログ出力の信号を伝送するとともに、各々専用に設けたアクチュエータ用ケーブル及び送りモータ用ケーブルを介してアクチュエータ及びピックアップ送りモータにＰＷＭ出力にて信号を伝送する。これにより、光ピックアップ又はピックアップ送りモータの近傍に各々の駆動回路が配置されることとなり、ＰＷＭ信号が伝送される各々の専用のケーブルを極力短くすることが可能であるとともに、メイン基板とモータ基板とを接続する長い基板接続用ケーブルにはアナログ出力の信号を伝送することができるので、光ディスクから読み出された微弱な電気信号にＰＷＭ信号が飛び込み悪影響を及ぼす可能性は極めて低いものとなる。さらに、本発明の光ディスク装置は、微弱な電気信号へのアクチュエータ駆動用のＰＷＭ信号の飛び込みを極力抑えるため、アクチュエータの駆動回路を実装した基板がピックアップに設けられているものもある。
【００１５】
したがって、本発明の光ディスク装置によれば、アクチュエータ及び送りモータの駆動制御を行うためのＰＷＭ信号を所定の時間間隔で出力し、アクチュエータ及び送りモータの駆動を行っていない時の電力消費を避けるとともに、駆動を行っている時においても駆動回路内での電力損失を低減するといったことが可能なので、アクチュエータ及び送りモータの駆動制御にかかる消費電流を減少させることができる。また、各駆動回路内での電力損失が少ないことから、各駆動回路からの発熱も僅かであり、光ディスク装置内の温度が極端に上昇するといったことがないので、該装置内の各回路のおかれている環境を悪化させるようなおそれはない。
【００１６】
【発明の実施の形態】
以下、本発明を実施する場合の形態について図面に基づき説明する。
【００１７】
図１は本発明を適用した、いわゆるノート型パソコン対応のＤＶＤ−ＲＯＭドライブの全体的な構成を示す斜視図、図２はその平面図である。
【００１８】
これらの図に示すように、このＤＶＤ−ＲＯＭドライブは、図示しないディスクを駆動及び再生するためのディスク駆動・再生機構が搭載された可動体であるドロワ１と、このドロワ１を収納可能なキャビネット２から構成されている。なお、キャビネット２は上側キャビネットと下側キャビネットから構成されているが、同図では上側キャビネットの図示を省略してある。ドロワ１はキャビネット２に対して矢印Ｙ１−Ｙ２方向に出し入れ自在である。すなわち、キャビネット２の両側内壁にはドロワ１をガイド支持するための断面コ字状のガイドレール２ａが各々固定されており、これらのガイドレール２ａに、ドロワ１の両側に設けられたガイド突起１ａが、スライドレール３を介して各々嵌め込まれた形態で支持されている。
【００１９】
ドロワ１には、光ディスクの外形に対応した凹部からなるディスク搭載部４と、ディスクモータ５及びターンテーブル６等のディスク駆動機構と、回転する光ディスクの記録領域に、アクチュエータ７にて駆動される対物レンズ８を介してレーザ光を照射してその反射光を取り込むことで光ディスクからデータを読み出す光ピックアップ９と、この光ピックアップ９をディスクの半径方向にフィードモータ１０等を介して搬送するピックアップ送り機構などが設けられている。また、ターンテーブル６には、光ディスクのセンタ孔と嵌合し、ディスクをターンテーブル５の中央に位置決めして保持するためのディスクチャック機構１１が設けられている。
【００２０】
以上の光ディスクを駆動する機構と光ピックアップ９を支持搬送する機構とは、単一のメカシャーシ上に搭載されており、このメカシャーシは、ドロワ１の本体等にダンパーゴムなどの防振部材を介してフローティング構造で支持されている。  また、ドロワ１及びキャビネット２にはモータ基板１２とメイン基板１３とが各々配設されている。ドロワ１側の回路基板であるモータ基板１２には、ディスクモータ５と、ディスクモータ５、フィードモータ１０、及びアクチュエータ７をＰＷＭ出力にてそれぞれ駆動制御するディスクモータドライブＩＣ１４、フィードモータドライブＩＣ１５、及びアクチュエータドライブＩＣ１６と、メイン基板９との電気的接続をとる基板接続用ＦＰ（フレキシブル・プリンテッド）ケーブル１７との接続用コネクタ１８等とが実装されている。また、ディスクモータ５、フィードモータ１０、及びアクチュエータ７（光ポックアップ９）と、これらの駆動用の各ＩＣとは、各々、ディスクモータ用ＦＰケーブル１９、フィードモータ用ＦＰケーブル２０、及びアクチュエータ用ＦＰケーブル２１により電気的に接続されている。
【００２１】
ここで、基板接続用ＦＰケーブル１７の長さは、ドロア１がキャビネット２から取り出された状態にも対応する長さに設けられており、この基板接続用ＦＰケーブル１７の長さに比べ、ディスクモータ用ＦＰケーブル１９、フィードモータ用ＦＰケーブル２０、及びアクチュエータ用ＦＰケーブル２１の各ケーブルの長さは、比較的短い長さのケーブルとなっている。
【００２２】
一方、キャビネット２側のメイン基板１３には、ＣＤ−ＲＯＭドライブを制御するためのシグナルプロセッサ２２、ＲＦアンプ回路２３、及びメモリをはじめ、ホストコンピュータとの接続用のピンコネクタ２４、モータ基板１２と電気的接続をとるための基板接続用ＦＰケーブル１７との接続用コネクタ２５等が実装されている。
【００２３】
次に、このＤＶＤ−ＲＯＭドライブの制御系について図３に示すブロック図を用い概略的に説明する。
【００２４】
同図に示すように、このＤＶＤ−ＲＯＭドライブの駆動制御系においては、光ディスクに記録された情報が、光ピックアップ９の有する各種レンズ及びフォトディテクタ等からなる光検出器２６を介して読み出されて微弱な電気信号に変換され、変換されたこの電気信号は、アクチュエータ用ＦＰケーブル２１及びモータ基板１２を通じて微弱なまま前述した比較的長さの長い基板接続用ＦＰケーブル１７を経由してメイン基板１３に実装されたＲＦアンプ回路２３へ入力される。この入力された微弱な電気信号はＲＦアンプ回路２３にて増幅され、フォーカスエラー信号及びトラッキングエラー信号を含む電気信号としてシグナルプロセッサ２２に入力される。
【００２５】
シグナルプロセッサ２２は、入力したトラッキングエラー信号に対応する制御信号をアナログ出力にて基板接続用ＦＰケーブル１７を通じてモータ基板１２に実装されたフィードモータドライブＩＣ１５及びアクチュエータドライブＩＣ１６にそれぞれ伝送するともに、フォーカスエラー信号に対応する制御信号を同様にアナログ出力にて基板接続用ＦＰケーブル１７を通じてアクチュエータドライブＩＣ１６に伝送する。フィードモータドライブＩＣ１５及びアクチュエータドライブＩＣ１６は、伝送されてきた各制御信号に基づいて、比較的短い長さのフィードモータ用ＦＰケーブル２０若しくはアクチュエータ用ＦＰケーブル２１を通じて駆動制御信号をＰＷＭ出力にて、それぞれピックアップ９のアクチュエータ７或いはフィードモータ１０に伝送し各部材をそれぞれ駆動制御する。
【００２６】
このように、本実施形態のＤＶＤ−ＲＯＭドライブは、アクチュエータ７及びフィードモータ１０の駆動制御用のパルス電流を生成するフィードモータドライブＩＣ１５及びアクチュエータドライブＩＣ１６を、メイン基板１３の設けられたキャビネット２に対し、挿脱自在なドロワ１に設けられたモータ基板１２に実装したので、モータ基板１２とメイン基板１３との間を電気的に接続する比較的長さの長い基板接続用ＦＰケーブル１７にアナログ出力の信号を伝送することが可能であるとともに、フィードモータ用ＦＰケーブル２０及びアクチュエータ用ＦＰケーブル２１を介してそれぞれフィードモータ１０及びアクチュエータ７にＰＷＭ出力にて信号を伝送することが可能となる。
【００２７】
これにより、フィードモータ１０又は光ピックアップ９の近傍に各々のドライブＩＣが配置されることとなり、ＰＷＭ信号が伝送される各々のＦＰケーブルを極力短くすることが可能であるとともに、各基板間を接続する長い基板接続用ＦＰケ１７にはアナログ出力の信号を伝送することができるので、光ディスクから読み出された微弱な電気信号にＰＷＭ信号が飛び込み悪影響を及ぼす可能性は極めて低いものとなる。
【００２８】
したがって、本実施形態のＤＶＤ−ＲＯＭドライブによれば、アクチュエータ７及びフィードモータ１０の駆動制御を行うためのパルス電流を所定の時間間隔で出力し、アクチュエータ７及びフィードモータ１０の駆動を行っていない時の電力消費を避けるとともに、駆動を行っている時においても各ドライブＩＣ内での電力損失を低減するといったことが可能なので、アクチュエータ７及びフィードモータ１０の駆動制御にかかる消費電流を減少させることができる。また、各ドライブＩＣ内での電力損失が少ないことから、各ＩＣからの発熱も僅かであり、ディスクドライブ内の温度が極端に上昇するといったことがないので、該装置内の各回路のおかれている環境を悪化させるような恐れはない。
【００２９】
なお、本実施形態のＤＶＤ−ＲＯＭドライブでは、モータ基板１２にアクチュエータドライブＩＣ１６を設けていたが、微弱な電気信号へのアクチュエータ駆動用のＰＷＭ信号の飛び込みを極力抑えるために、専用の基板を介しアクチュエータドライブＩＣをピックアップ９に設けるようにしてもよい。
【００３０】
また、本実施形態では、ＤＶＤ−ＲＯＭドライブに本発明を適用した場合について説明したが、本発明は、ＣＤ−ＲＯＭドライブ、ＣＤドライブ等をはじめ、様々な種類のディスク装置に適用することができる。
【００３１】
以上説明したように、本発明の光ディスク装置は、アクチュエータ及びピックアップ送りモータの駆動制御用のＰＷＭ信号を生成する駆動回路を、メイン基板を有する筐体に対し挿脱自在な可動体が有するディスクモータが搭載されたモータ基板に実装したので、メイン基板とモータ基板とを電気的に接続する比較的長さの長いものとなる基板接続用ケーブルに例えばアナログ出力の信号を伝送するとともに、各々専用に設けたアクチュエータ用ケーブル及び送りモータ用ケーブルを介してアクチュエータ及びピックアップ送りモータにＰＷＭ出力にて信号を伝送する。これにより、光ピックアップ又はピックアップ送りモータの近傍に各々の駆動回路が配置されることとなり、ＰＷＭ信号が伝送される各々の専用のケーブルを極力短くすることが可能であるとともに、メイン基板とモータ基板とを接続する長い基板接続用ケーブルにはアナログ出力の信号を伝送することができるので、光ディスクから読み出された微弱な電気信号にＰＷＭ信号が飛び込み悪影響を及ぼす可能性は極めて低いものとなる。さらに、本発明の光ディスク装置は、微弱な電気信号へのアクチュエータ駆動用のＰＷＭ信号の飛び込みを極力抑えるため、アクチュエータの駆動回路を実装した基板がピックアップに設けられているものもある。
【００３２】
したがって、本発明の光ディスク装置によれば、アクチュエータ及び送りモータの駆動制御を行うためのＰＷＭ信号を所定の時間間隔で出力し、アクチュエータ及び送りモータの駆動を行っていない時の電力消費を避けるとともに、駆動を行っている時においても駆動回路内での電力損失を低減するといったことが可能なので、アクチュエータ及び送りモータの駆動制御にかかる消費電流を減少させることができる。また、各駆動回路内での電力損失が少ないことから、各駆動回路からの発熱も僅かであり、光ディスク装置内の温度が極端に上昇するといったことがないので、該装置内の各回路のおかれている環境を悪化させるようなおそれはない。
【図面の簡単な説明】
【図１】本発明を適用した実施形態であるＤＶＤ−ＲＯＭドライブの構成を示す斜視図
【図２】図１のＤＶＤ−ＲＯＭドライブを示す平面図
【図３】図１のＤＶＤ−ＲＯＭドライブの駆動制御系を概略的に示すブロック図
【符号の説明】
１……ドロワ
２……キャビネット
５……ディスクモータ
７……アクチュエータ
８……対物レンズ
９……光ピックアップ
１０……フィードモータ
１２……モータ基板
１３……メイン基板
１４……ディスクモータドライブＩＣ
１５……フィードモータドライブＩＣ
１６……アクチュエータドライブＩＣ
１７……基板接続用ＦＰケーブル
１９……ディスクモータ用ＦＰケーブル
２０……フィードモータ用ＦＰケーブル
２１……アクチュエータ用ＦＰケーブル
２２……シグナルプロセッサ
２３……ＲＦアンプ回路
２６……光検出器
【図１】
0003762099.tif 000002
【図２】
0003762099.tif 000003
【図３】
0003762099.tif 000004